(57)【要約】      （修正有）【課題】墓石の下方に散骨室などの納骨室が設けられる墓に使用されても、芝台と開口部被覆板との間から雨水が浸入して散骨室などの納骨室内で遺骨が水浸しとなったり不衛生な状況になることがない墓石を提供する。【解決手段】墓石１は、墓石１の下方に納骨室２１を備えた墓２０に使用されると共に納骨室２１に連通する開口部２２を被覆する開口部被覆板２を有する墓石であって、開口部被覆板２は芝台挿入辺部３を有し、墓石１の芝台４は芝台挿入辺部３を挿入可能な挿入用凹部５を有している。【選択図】図３
0003184980.tif 000002
【実用新案登録請求の範囲】
【請求項１】
墓石の下方に納骨室を備えた墓に使用されると共に前記納骨室に連通する開口部を被覆する開口部被覆板を有する墓石であって、前記開口部被覆板は芝台挿入辺部を有し、前記墓石の芝台は前記芝台挿入辺部を挿入可能な挿入用凹部を有していることを特徴とする墓石。
【請求項２】
前記開口部被覆板は花立て板である請求項１に記載の墓石。
【請求項３】
前記開口部被覆板の前記芝台挿入辺部は、側面視で基端側に向かって下降する下降面に形成されている請求項１または２に記載の墓石。
【請求項４】
前記開口部被覆板の前記芝台挿入辺部の両端面は、平面視で基端側に向かってそれぞれ内側に傾斜している請求項１ないし３のいずれかに記載の墓石。
【請求項５】
前記開口部被覆板の両側面にはそれぞれ把持用凹部が設けられている請求項１ないし４のいずれかに記載の墓石。
【考案の詳細な説明】
【技術分野】
【０００１】
本考案は、墓石の下方に納骨室を設けた墓に使用して好適な墓石に関するものである。
【背景技術】
【０００２】
従来より、墓石の下方に散骨室などの納骨室を設けた墓が多用されている（特開平１１−１４１１８９号公報）。例えばそのような墓として、図７（ａ）に示したような墓８０がある。この墓８０は、図７（ｃ）に示すように、墓石７０の下方（地下）に、火葬した骨を散骨するための散骨室８１を備えており、図７（ｂ）に示すように、墓石７０の前方には散骨室８１に連通する開口部８２が設けられている。そして、この開口部８２は図７（ａ）に示すように開口部被覆板７１によって被覆されている。
【０００３】
しかし、この種の墓石７０では、図８に示すように、墓石７０の芝台７４と、開口部被覆板７１との間に間隙９０が生じ易く、その間隙９０から雨水等が散骨室８１などの納骨室に侵入して遺骨が水浸しとなったり不衛生な状況になり遺族感情が害されることがあった。
【先行技術文献】
【特許文献】
【０００４】
【特許文献１】特開平１１−１４１１８９号公報
【考案の概要】
【考案が解決しようとする課題】
【０００５】
そこで、本考案の課題は、墓石の下方に散骨室などの納骨室が設けられる墓に使用されても、芝台と開口部被覆板との間から雨水が浸入して散骨室などの納骨室内で遺骨が水浸しとなったり不衛生な状況になることがなく遺族感情が害されることのない墓石を提供することにある。
【課題を解決するための手段】
【０００６】
上記課題を解決するものは、墓石の下方に納骨室を備えた墓に使用されると共に前記納骨室に連通する開口部を被覆する開口部被覆板を有する墓石であって、前記開口部被覆板は芝台挿入辺部を有し、前記墓石の芝台は前記芝台挿入辺部を挿入可能な挿入用凹部を有していることを特徴とする墓石である。
【０００７】
前記開口部被覆板は花立て板であることが好ましい。前記開口部被覆板の前記芝台挿入辺部は、側面視で基端側に向かって下降する下降面に形成されていることが好ましい。前記開口部被覆板の前記芝台挿入辺部の両端面は、平面視で基端側に向かってそれぞれ内側に傾斜していることが好ましい。前記開口部被覆板の両側面にはそれぞれ把持用凹部が設けられていることが好ましい。
【考案の効果】
【０００８】
請求項１に記載した考案によれば、墓石の下方に散骨室などの納骨室が設けられる墓に使用されても、芝台と開口部被覆板との間から雨水が浸入して散骨室などの納骨室内で遺骨が水浸しとなったり不衛生な状況になることがなく遺族感情が害されることもない墓石となる。
請求項２に記載した考案によれば、上記請求項１の効果に加え、開口部被覆板が花立て板を兼ねることができる。
請求項３に記載した考案によれば、上記請求項１または２の効果に加え、芝台と開口部被覆板との間に間隙が生じても、雨水は芝台挿入辺部の上面に沿って開口部被覆板の基端側に流れ基端側で両端より地上に流れるため、納骨室内に雨水が流入することをより防止できる。
請求項４に記載した考案によれば、上記請求項１ないし３の効果に加え、雨水が開口部被覆板の基端側に流れ基端側の両端から、より地上に流れ易くなり、納骨室内に雨水が流入することをより防止できる。
請求項５に記載した考案によれば、上記請求項１ないし４の効果に加え、開口部被覆板が把持し易くなり開口作業等がより容易となる。
【図面の簡単な説明】
【０００９】
【図１】本考案の墓石の特徴的構成を説明するための一実施例の分解斜視図である。
【図２】図１に示した墓石の斜視図である。
【図３】図１に示した墓石の使用状態を説明するための一部断面図である。
【図４】図１に示した墓石の開口部被覆板の平面図である。
【図５】図４に示した開口部被覆板の左側面図である。
【図６】図１に示した墓石の作用を説明するための平面図である。
【図７】従来の墓石を説明するための斜視図である。
【図８】従来の墓石の問題点を説明するための平面図である。
【考案を実施するための形態】
【００１０】
本考案では、開口部被覆板２が芝台挿入辺部３を有し、他方、墓石１の芝台４が芝台挿入辺部３を挿入可能な挿入用凹部５を有し、挿入用凹部５内に芝台挿入辺部３が挿入されることで、墓石の下方に散骨室などの納骨室２１が設けられる墓に使用されても、芝台４と開口部被覆板２との間から雨水が浸入して散骨室などの納骨室２１内で遺骨が水浸しとなったり不衛生な状況になることがなく遺族感情が害されることのない墓石を実現した。
【実施例１】
【００１１】
本考案の墓石を図１ないし図６に示した一実施例を用いて説明する。
この実施例の墓石１は、図３に示すように、墓石１の下方に納骨室２１を備えた墓２０に使用されると共に納骨室２１に連通する開口部２２を被覆する開口部被覆板２を有する墓石であって、開口部被覆板２は芝台挿入辺部３を有し、墓石１の芝台４は芝台挿入辺部３を挿入可能な挿入用凹部５を有している。以下、各構成について順次詳述する。
【００１２】
墓石１は、図３に示すように、墓石１の下方に納骨室２１を備えた墓２０に使用されるものである。墓石１の下方には、散骨室である納骨室２１が設けられており、この納骨室２１に連通する開口部２２が墓石１の正面側における芝台４の前方に設けられている。
【００１３】
開口部２２は、散骨室である納骨室２１に火葬した遺骨を散骨する際に使用される開口であり、平素、この開口部２２は花立て板である開口部被覆板２にて被覆されている。
【００１４】
この実施例の墓石１は、図１または図２に示すように、開口部被覆板（花立て板）２の他、地面に載置される芝台４と、芝台４の上部に載置される上台６と、上台６の上部に載置される竿石７と、芝台４の正面側に載置される水鉢８と、開口部被覆板（花立て板）２の上面に載置される一対の花立て９ａ，９ｂと香炉台１０を有している。ただし、本考案の墓石はこのような構成を有したものに限定されず、墓石の下方に納骨室を備えた墓に使用されると共に納骨室に連通する開口部を被覆する開口部被覆板を有する墓石を広く包含するものであり、例えば、芝台と上台との間に中台を有するものや開口部被覆板が花立て板とは別に設けられたものなども広く本考案の範疇に包含される。
【００１５】
開口部被覆板２は、開口部２２を被覆できるように、平面視で開口部２２より大きい面積（図４中、横幅ｗ、縦幅ｈ）を有する略矩形の板材により構成されており、芝台４側に配置される一辺側には、長尺状の芝台挿入辺部３が一体成形されている。なお、芝台挿入辺部３の長手方向の長さ（横幅ｗ１）も開口部２２を被覆できるように、開口部２２の横幅より大きく形成されている。開口部被覆板２の正面側の端辺部は湾曲したＲ形状に形成されており、また、各端部には面取りが施され、使用者が手足等を損傷することがないように配慮されている。
【００１６】
他方、墓石１の芝台４（この実施例では正面側の芝台）には、図１に示すように、開口部被覆板２の芝台挿入辺部３を挿入可能な挿入用凹部５を有している。そして、本考案の墓石１は、開口部被覆板２の芝台挿入辺部３を芝台４の挿入用凹部５に挿入することで、図６に示すように、開口部被覆板２と芝台４との間に若干の間隙が形成されても、開口部２２は芝台挿入辺部３によって被覆されているため、墓石１の下方に散骨室などの納骨室２１が設けられる墓２０に使用された場合でも、芝台４と開口部被覆板２との間から雨水が浸入して散骨室などの納骨室２１内で遺骨が水浸しとなったり不衛生な状況になることがなく遺族感情が害されることのないように構成されている。
【００１７】
なお、開口部被覆板２の芝台挿入辺部３は、図５に示すように、側面視で基端３ａ側に向かって下降する下降面に形成されていることが好ましい。これにより、芝台４と開口部被覆板２との間に間隙が生じても、雨水は芝台挿入辺部３の上面（下降面）に沿って開口部被覆板２の基端３ａ側に流れ基端３ａ側で両端３ｂ，３ｃより地上に流れるため、納骨室２内に雨水が流入することがより防止される。
【００１８】
また、開口部被覆板２の芝台挿入辺部３の両端面３ｂ，３ｃは、図４に示すように、平面視で基端３ａ側に向かってそれぞれ内側に傾斜していることが好ましい。これにより、雨水が開口部被覆板２の基端３ａ側に流れ基端３ａ側の両端３ｂ，３ｃから、より地上に流れ易くなり、納骨室２１内に雨水が流入することをより防止できる。
【００１９】
さらに、開口部被覆板３の両側面にはそれぞれ把持用凹部１１ａ，１１ｂが設けられていることが好ましい。これにより、開口部被覆板２が把持し易くなり開口作業等がより容易となる。
【００２０】
つぎに、本考案の墓石１の使用方法について本考案の特徴的作用と共に説明する。
墓石１において遺骨を散骨する場合は、開口部被覆板２上に載置されている花立て９ａ，９ｂと香炉台１０を取り除いた後、図１に示すように、開口部被覆板２の芝台挿入辺部３を芝台４の挿入用凹部５より引き抜いて地面に形成された開口部２２を露呈させる。この開口部２２より遺骨を図３に示した納骨室（散骨室）２１に散骨する。
【００２１】
納骨室（散骨室）２１への散骨が終了したら、開口部被覆板２の芝台挿入辺部３を芝台４の挿入用凹部５へ挿入して開口部２２を被覆し、開口部被覆板２の上面に図２に示すように花立て９ａ，９ｂおよび香炉台１０を載置して平素はこの状態とする。この状態では、開口部被覆板２と芝台４との間に若干の間隙が形成されても、開口部２２は芝台挿入辺部３によって被覆されているため、芝台４と開口部被覆板２との間から雨水が浸入して散骨室などの納骨室２１内で人骨が水浸しとなったり不衛生な状況になることがなく遺族感情が害されることがない。また、開口部被覆板２の芝台挿入辺部３は側面視で基端３ａ側に向かって下降する下降面に形成されているため、芝台４と開口部被覆板２との間に間隙が生じても、雨水は芝台挿入辺部３の上面（下降面）に沿って開口部被覆板２の基端３ａ側に流れ基端３ａ側で両端３ｂ，３ｃより地上に流れるため、納骨室２内に雨水が流入することがより防止される。
【符号の説明】
【００２２】
１              墓石
２              開口部被覆板（花立て板）
３              芝台挿入辺部
４              芝台
５              挿入用凹部
６              上台
７              竿石
８              水鉢
９ａ，９ｂ      花立て
１０            香炉台
１１ａ，１１ｂ  把持用凹部      
２０            墓
２１            納骨室（散骨室）
２２            開口部
【図１】
0003184980.tif 000003
【図２】
0003184980.tif 000004
【図３】
0003184980.tif 000005
【図４】
0003184980.tif 000006
【図５】
0003184980.tif 000007
【図６】
0003184980.tif 000008
【図７】
0003184980.tif 000009
【図８】
0003184980.tif 000010